(57)【要約】本発明は、スポーツを行うのに適した強化されたサポートを備えるブラジャー（１）に関し、特に、使用者（５）のバスト（４）を覆う２つのカップ（３）を含む前部（２ａ）、カップ（３）のそれぞれの外縁（７）に基本的に接続される背面固定バンド（６）、及び、使用者（５）の肩（９）を延出する一対のストラップ（８）を含むタイプのブラジャー（１）に関し、ブラジャー（１）は、前部（２）が少なくとも、ストラップ（８）が取り付けられ、且つ、そこへ向かってこれらのストラップ（８）が集束する中央アンカー構造（１０）と、おおよそこれらのカップ（３）の外縁（７）から他方の縁部へ、カップ（３）の下に延在する下部サポートバンド（１１）と、下部サポートバンド（１１）から中央アンカー構造（１０）へ向かって、カップ（３）の間に延在する中央サポートバンド（１２）と、２つの側部サポートバンド（１３）であって、少なくとも下部サポートバンド（１１）から、そこへ向かってそれらが集束する中央アンカー構造（１０）へ、カップ（３）の外縁（７）の側部から水平方向に延在する、２つの側部サポートバンド（１３）とを含み、中央アンカー構造（１０）ならびに下部（１１）、中央（１２）及び側部（１３）サポートバンドが、スポーツを行う場合におおよそ適所にバスト（４）を維持するために、バスト（４）に対して調整されるため、伸縮不可能なサポートフレーム構造を形成することを特徴とする。【選択図】図３
2017531106.tif 000002
【特許請求の範囲】
【請求項１】
使用者（５）のバスト（４）を覆うための２つのカップ（３）を含む前部（２ａ）、基本的に、前記カップ（３）のそれぞれの外縁（７）に接続される背面固定バンド（６）、及び、前記使用者（５）の肩（９）を延出する一対のストラップ（８）を含むタイプのスポーツに適したブラジャー（１）であって、
前記前部（２ａ）が少なくとも、
前記ストラップ（８）が取り付けられ、且つ、それに向かってこれらのストラップ（８）が収束する中央アンカー構造（１０）と、
おおよそこれらのカップ（３）の外縁（７）から他方の縁部へ、前記カップ（３）の下に延在する下部サポートバンド（１１）と、
前記下部サポートバンド（１１）から前記中央アンカー構造（１０）へ、前記カップ（３）の間に延在する中央サポートバンド（１２）と、
２つの側部サポートバンド（１３）であって、少なくとも前記下部サポートバンド（１１）から、そこへ向かってそれらが集束する前記中央アンカー構造（１０）へ、前記カップ（３）の前記外縁（７）の側部から水平方向に延在する、前記２つの側部サポートバンド（１３）とを含み、
前記中央アンカー構造（１０）ならびに前記下部（１１）、中央（１２）及び側部（１３）サポートバンドが、スポーツをする場合に前記バスト（４）を基本的に適所にサポートするように、前記バスト（４）上で調整されるように設計された伸縮不可能なサポートフレーム構造を形成することを特徴とする、
ブラジャー。
【請求項２】
前記中央アンカー構造（１０）が、前記使用者（５）の胸骨の分岐の高さに配置されるように意図されたことを特徴とする、
請求項１に記載のブラジャー（１）。
【請求項３】
前記中央アンカー構造（１０）、前記下部（１１）、中央（１２）及び／または側部（１３）サポートバンドが可撓性であることを特徴とする、
請求項１乃至２に記載のブラジャー（１）。
【請求項４】
前記ブラジャー（１）が、おおよそ一方の側部サポートバンド（１３）から他方の側部サポートバンド（１３）へ、前記カップ（３）の上方へ延在する少なくとも１つの伸縮不可能な上部サポートバンド（１４）を含むことを特徴とする、
請求項１乃至３のいずれか１項に記載のブラジャー（１）。
【請求項５】
前記中央サポートバンド（１２）が、前記下部サポートバンド（１１）から前記上部サポートバンド（１４）へ延在することを特徴とする、
請求項４に記載のブラジャー（１）。
【請求項６】
前記中央サポートバンド（１２）が、前記下部サポートバンド（１１）から、そこへ向かって前記中央サポートバンド（１２）が集束する前記中央アンカー構造（１０）へ延在することを特徴とする、
請求項１乃至５のいずれか１項に記載のブラジャー（１）。
【請求項７】
前記中央サポートバンド（１２）、前記側部サポートバンド（１３）及び／または前記ストラップ（８）が、長さを調節されてよいことを特徴とする、
請求項１乃至６のいずれか１項に記載のブラジャー（１）。
【請求項８】
前記一対のストラップ（８）が基本的に、前記使用者（５）の首を囲むリングを形成することを特徴とする、
請求項１乃至７のいずれか１項に記載のブラジャー（１）。
【請求項９】
前記一対のストラップ（８）が、前記ブラジャー（１）の後部（２ｂ）の高さで前記背面固定バンド（６）に接続されることを特徴とする、
請求項１乃至８のいずれか１項に記載のブラジャー（１）。
【請求項１０】
前記一対のストラップ（８）が、前記後部（２ｂ）の高さで「Ｙ」を形成することを特徴とする、
請求項９に記載のブラジャー（１）。
【請求項１１】
前記中央アンカー構造（１０）が、ロックされた位置と外された位置との間で移動可能な固定手段を形成することを特徴とする、
請求項１乃至１０のいずれか１項に記載のブラジャー（１）。
【請求項１２】
前記背面固定バンド（６）がクロージャ（１５）を含むことを特徴とする、
請求項１乃至１１のいずれか１項に記載のブラジャー（１）。
【発明の詳細な説明】
【技術分野】
【０００１】
本発明は、スポーツを行うのに適した強化されたサポートを備えるブラジャーに関する。
【背景技術】
【０００２】
基本的に、スポーツに適した２つのタイプのブラジャー、すなわち、圧縮性のブラジャー及び封じ込めブラジャーが知られている。
【０００３】
圧縮性のブラジャーは、一般に、バストの動き及び揺れを制限するためにバストを圧縮するバンドの形をとる前部を含む。
【０００４】
このタイプのブラジャーは、一般に、ストラップを有さず、動き及び揺れを制限しつつ、肩にもたらされる圧迫を開放するという利点を有する。
【０００５】
しかし、このタイプのブラジャーは、使用者により不快なものと認識される。さらに、バストを圧縮することにより、このタイプのブラジャーはバストを傷つけることがある。
【０００６】
封じ込めブラジャーは、各乳房を囲み、それゆえ、各乳房の動きに別々に作用する２つのカップを含む前部と、カップのそれぞれの外縁に一般に接続される背面固定バンドと、前部を背面固定バンドに接続するための、使用者の肩上を延出する一対のストラップと、を含む。
【０００７】
このタイプのブラジャーは、バストを圧縮せず、バストの健康状態を尊重する。しかし、このタイプのブラジャーにより与えられるサポートは、実質的に、
−バストを上向きにサポートするように意図されたストラップと、
−バストを収容するように意図されたカップと、
−きつさに応じて、バストに対してある程度強力な圧縮を生成する、カップを後方に引きつけるように意図された背部と
に基づく。
【０００８】
このような構成の結果は、使用者の肩、背中及び体側が、使用中に大幅に歪まされることである。さらに、これらのゾーンのいくつかは、それらが身体が動く間に歪まされる場合、比較的著しい大きさの動きを有するので、サポートの効果は最適化されない。
【発明の概要】
【０００９】
本発明は、先に引用した欠点の全部または一部を解決し、特に、使用者の快適さを改善しつつバストのサポートを改善するという目的を有する。
【００１０】
本発明のこの目的は、使用者のバストを覆う２つのカップを含む前部、基本的にカップのそれぞれの外縁に接続される背面固定バンド、及び、使用者の肩を通過する一対のストラップを含むタイプのスポーツに適したブラジャーにより達成され、当該ブラジャーは、前部が、少なくとも、
−ストラップが取り付けられ、且つ、そこに向かってこれらのストラップが集束する中央アンカー構造と、
−基本的にこれらのカップの外縁から他方の縁部へ、カップの下に延在する下部サポートバンドと、
−下部サポートバンドから中央アンカー構造へ、カップ間に延在する中央サポートバンドと、
−２つの側部サポートバンドであって、少なくとも下部サポートバンドから、そこへ向かってそれらが集束する中央アンカー構造へ、カップの外縁の側部から水平方向に延在する、２つの側部サポートバンドと
を含み、
中央アンカー構造ならびに下部、中央及び側部サポートバンドが、スポーツをする場合に基本的に適所にバストをサポートするように、バスト上で調整されるように設計された伸縮不可能なサポートフレームを形成することを特徴とする。
【００１１】
「中央アンカー構造へ向かって集束する（ｃｏｎｖｅｒｇｅ  ｔｏｗａｒｄｓ  ｔｈｅ  ｃｅｎｔｒａｌ  ａｎｃｈｏｒｉｎｇ  ｓｔｒｕｃｔｕｒｅ）」という句は、ストラップまたは側部サポートバンドが、この中央アンカー構造により保持される共通地点へ向かって配向及び進行されることを意味する。
【００１２】
事実、それら自体が下部サポートバンドに接続されるストラップ及び側部サポートバンドが、接続され、且つ、同時に集束する中央アンカー構造を備えるそのようなブラジャーにより、使用者の胸骨及び脊柱の高さに位置する身体の中央サポート地点の高さでバストをサポートするため、ブラジャーに作用する圧迫を集中及び固定させることが可能となる。このような構成において、肩及び側面がそれゆえ少なくとも部分的に開放され、比較的有意な方法で、バストのサポートに関連する圧迫を開放する。
【００１３】
さらに、ブラジャーそれ自体の構成により中央アンカー構造をのせる胸骨、及び、身体の骨格により胸骨が接続される脊柱はそれぞれが、身体が動くときに比較的弱い動きを示す。これは基本的に、サポート地点が、或るゾーンすなわち胸骨に位置するという事実によるものであり、胸骨は、体のなかでもあまり脂肪がない傾向にあり、肋骨により骨格に接続されるものである。それゆえ、ストレスは使用者のバストによって良好に吸収され、使用者の骨格に起因して均一に良好に分散される。
【００１４】
さらに、肩を越えて延出するストラップが中間に配置されればなおさら、それどころか肩の下方に位置する場合であっても、すなわち、ストラップを使用者の首から移動させた場合、肩にのっかる、バストと一体のサポートは使用者にとってあまり快適なものでない。このような構成により、ブラジャーのこれらのストラップは、使用者の首の近傍において肩の高い位置で、中央アンカー構造により自動的に配置及びサポートされ、その結果、使用者の快適さが改善される。
【００１５】
さらに、この快適さはまた、中央アンカー構造が、ブラジャーをサポートする張りの一部を吸収するという事実によって強化され、これはまた、肩及び背中への、バストにより作用する圧迫の度合いを減少させることにも関係する。
【００１６】
さらに、この中央アンカー構造が、バストの高さで中心に置かれて、一方ではこの中央アンカー構造の上方に、特に首の周囲に配置されるブラジャーのストラップに接続され、他方では中央アンカー構造の下方に配置される側部サポートバンドに接続されるという事実により、これは、使用者の動きにかかわらず、この中央アンカー構造を適所に維持することを可能にし、これは、スポーツ実践のフレーム構造において特に有利である。
【００１７】
このようなブラジャーによりさらに、バストの動き及び揺れが制限されることが可能となる。実際、
−一方では、それぞれが伸縮不可能であり、且つ、使用者の身体に対しておおよそ横方向に延在する下部サポートバンド及び側部サポートバンドにより、バストのおおよそ垂直方向の揺れ、すなわち、上部から底部への、及び底部から上部への揺れの減少が可能となる。
−他方では、それぞれが伸縮不可能であり、且つ、おおよそ横方向に延在する中央及び側部サポートバンドにより、腕の動きからバストを分離しつつ、バストのおおよそ横方向の揺れ、すなわち、水平方向に右から左へ、及び左から右への揺れの減少が可能となる。
【００１８】
カップそれ自体は、前方から後方へ、及び後方から前方への前面に配向される揺れを制限しつつ使用者の快適さを保証するため、バストを圧縮することなく自然なサポートを保証する。これらのカップは、それらが任意の中間のフレーム構造を含まないが、ブラジャーの唯一のフレーム構造が、カップの周囲に位置するサポートフレーム構造によって形成されるように構成される。
【００１９】
さらに、「調整される（ａｄｊｕｓｔｅｄ）」という語は、サポートフレーム構造が、使用者の身体に接触し、また、使用者バストの高さで使用者の身体に接してサポートされること、すなわち、使用者を圧迫することを意味する。
【００２０】
有利な技術的特徴によれば、中央アンカー構造は、使用者の胸骨の分岐（ｓｔｅｒｎａｌ  ｆｏｒｋ）の高さに配置されるように意図される。
【００２１】
これにより、特に、使用者の骨格の高さで、バストをサポートする張りの良好な分配が可能となる。さらに、このようなゾーンは、胸骨の胸骨柄の上部に位置し、これにより、ブラジャーのストラップが、使用者の首の周囲の肩の高さでサポートされることが可能となり、それゆえ、ブラジャーの快適さが改善される。
【００２２】
特定の特徴によれば、中央アンカー構造、下部、中央及び／または側部サポートバンドは、柔軟または可撓性である。これにより、使用者の快適さを改善することが可能となる。
【００２３】
有利には、ブラジャーはまた、おおよそ一方の側部サポートバンドから他方の側部サポートバンドへ、カップの上方に延在する少なくとも１つの伸縮不可能な上部サポートバンドを含む。
【００２４】
これにより、バストの垂直方向の揺れ、すなわち、上部から底部及び底部から上部への揺れの減少が、側部及び下部サポートバンドと併用して、使用者の身体に対してさらにいっそう改善されることが可能となる。実際、このように、乳房のそれぞれが、このように形成される伸縮不可能なサポートフレーム構造によって囲まれ、バストに対して調整される。
【００２５】
特定の技術的特徴によれば、中央サポートバンドは、下部サポートバンドから上部サポートバンドへ、及び、そこへ向かって中央サポートバンドが集束する中央アンカー構造まで延在する。
【００２６】
さらに、このようなブラジャーは、人物に応じて適応するために異なる大きさを有してよい。しかし、使用者のそれぞれの形状に良好に適応するため、及び、サポートフレーム構造の調整を改善するため、中央サポートバンド、側部サポートバンド及び／またはストラップは、特に調節手段により、長さを調節されてよい。
【００２７】
補足的または代替的に、ストラップがまた、長さを適応させるための調節手段を含むことが提供されてもよい。
【００２８】
特定の構成によれば一対のストラップは、基本的に、使用者の首を囲むリングを形成する。
【００２９】
一対のストラップは、有利には、ブラジャーの後部の高さで背面固定バンドに接続される。
【００３０】
ストラップ対は、後部の高さで「Ｙ」を形成する。このような構成により、特にストラップが、使用者の首の周囲の肩の高さでサポートされることが可能となり、使用者の快適さが改善される。
【００３１】
特定の構成において、中央アンカー構造は、ロックされた位置と外された位置との間を移動され得る固定手段を形成する。
【００３２】
実際、下部、中央及び側部サポートバンドが伸縮不可能であるので、及び、これらのサポートバンドが身体にそれぞれ調整されるように、すなわち、きつ過ぎることも緩過ぎることもないように構成されるので、このような特徴により、それらの使用を促進するため、ストラップ及び／またはサポートバンドの少なくとも一部をそれらの間で緩ませることが可能となる。これは、特に、使用者がそのようなブラジャーを付ける場合、または外す場合である。
【００３３】
背面固定バンドはまた、有利には、クロージャ（ｃｌｏｓｕｒｅ）を含む。これはまた、使用者によるブラジャーの適所の取り付けまたは取り外しを容易にする。
【００３４】
有利な技術的構成によれば、ストラップ及び背部固定バンドは、スポーツをする場合に動きの自由さを使用者に保証しつつ使用者の快適さを改善するため、弾性である。
【００３５】
本発明の他の特徴及び利点が、添付の図面に対して成される参照と共に、単に実施例として与えられる以下の説明を読むことにより明らかとなろう。
【図面の簡単な説明】
【００３６】
【図１】使用者により着用される、本発明の実施形態に従ったブラジャーの基本的な図を示し、このブラジャーの前部の図に対応する図である。
【図２】使用者により着用される、本発明の実施形態に従ったブラジャーの基本的な図を示し、このブラジャーの後部の図に対応する図である。
【図３】本発明の別の実施形態に従ったブラジャーの図を示す。
【図４】４Ａは、本発明の別の実施形態に従ったブラジャーの前部の概略図を示す。４Ｂは、本発明の別の実施形態に従ったブラジャーの後部の概略図を示す。
【図５】５Ａは、本発明の別の実施形態に従ったブラジャーの一対のストラップの前部の概略図を示す。５Ｂは、本発明の別の実施形態に従ったブラジャーの一対のストラップの後部の概略図を示す。５Ｃは、本発明の別の実施形態に従ったブラジャーの一対のストラップのクロージャの概略図を示す。
【図６】６Ａは、本発明の別の実施形態に従ったブラジャーの前部の概略図を示す。６Ｂは、本発明の別の実施形態に従ったブラジャーの中央アンカー構造の概略図を示す。
【図７】本発明の別の実施形態に従ったブラジャーの前部の概略図を示す。
【図８】本発明の別の実施形態に従ったブラジャーの前部の概略図を示す。
【図９】９Ａは、本発明の別の実施形態に従ったブラジャーの前部の概略図を示す。９Ｂは、本発明の別の実施形態に従ったブラジャーの中央アンカー構造の概略図を示す。
【図１０】本発明の別の実施形態に従ったブラジャーの前部の概略図を示す。
【発明を実施するための形態】
【００３７】
これらの図の全てにおいて、同一または類似の参照は、同一または類似の部分または構成単位を示す。
【００３８】
図１及び図２は、使用者５のバスト４上のブラジャー１の基本的な図を示し、特に、このブラジャー１の前部２ａ及び後部２ｂの図を示す。
【００３９】
基本的な図において、各乳房を囲むように設計されたカップ３など、ブラジャー１のいくらかの要素が、これらの２つの図１及び図２に示されていない。
【００４０】
ブラジャー１は、一対のストラップ８を含み、これらのストラップは、使用者５の肩９の一方の肩の上及び他方の肩の上を延出するように意図される。
【００４１】
さらに、図１は、
−ストラップ８が取り付けられ、且つ、そこへ向かってこれらのストラップ８が集束する、中央アンカー構造１０であって、すなわち、ストラップ８が中央アンカー構造１０により保持される共通地点へ向かって配向及び進行される、中央アンカー構造１０と、
−使用者５のバスト４に対して横方向に、特に、これらのカップ３（特に図３参照）の外縁７（ここでは図示せず）から他方の外縁７へ、カップ３の下、すなわち、着用または着た位置において使用者の乳房の下に延在する下部サポートバンド１１と、
−カップ３の間、または、図１においてみられるようにブラジャーの着用位置における乳房の間に延在する中央サポートバンド１２であって、サポートバンドが、特に、下部サポートバンド１１から、そこへ向かってサポートバンドが集束する中央アンカー構造１０まで延在する、中央サポートバンド１２と、
−２つの側部サポートバンド１３であって、下部サポートバンド１１から、そこへ向かってそれらが集束する中央アンカー構造１０へ、カップ３の外縁７の側部から、すなわち、着用位置における乳房の各外側から水平方向に延在する、２つの側部サポートバンド１３とを含む、
伸縮不可能なサポートフレーム構造１０、１１、１２、１３を特に示す。
【００４２】
このような構成において、ストラップ８、中央サポートバンド１２及び側部サポートバンド１３は、中央アンカー構造１０により保持される共通地点へ共に集束する。
【００４３】
下部サポートバンド１１は、カップ２の下、すなわち、乳房の下で、中央サポートバンド１２と側部サポートバンド１３との間の伸縮不可能な連絡線を形成する。このように、バストは、サポートフレーム構造によってサポートされ、そのストレスは、中央アンカー構造の高さに加えられる。
【００４４】
中央アンカー構造１０は、少なくとも、側部サポートバンド１３と、ストラップ８により確保される首の周囲のサポートとの間の接合を形成する。
【００４５】
さらに、ストラップ８及び側部サポートバンド１３の集束は、中央アンカー構造１０が、使用者の胸骨、すなわち、脂肪組織にほとんど脂肪が無い身体の領域の高さで、使用者により保持される位置に配置されるという結果を有する。
【００４６】
そのような特徴は、使用者５がスポーツを行う場合に、胸骨を覆う組織が、使用者５の体側の高さまたは使用者のバスト４の上部の高さで、横の脇腹などの他の領域の組織と比べて、骨格に対してあまり可動性がないという事実により、特に有利である。結果として、ブラジャー１をサポートするストレスは、特に、それを覆う組織にあまり脂肪がないこのゾーンに加えられ、胸骨から、肋骨を通過する脊柱へ、使用者の骨格に分散される。
【００４７】
この実施形態において、伸縮不可能なサポートフレーム構造１０、１１、１２、１３及びストラップ対８は、着用位置において、中央アンカー構造１０が使用者の胸骨の分岐に対して配置及びサポートされるように構成される。
【００４８】
さらに、サポートフレーム構造を形成する、中央アンカー構造１０、下部サポートバンド１１、中央サポートバンド１２、及び側部サポートバンド１３は、それぞれが伸縮不可能であり、スポーツをする場合に、基本的に適所にバスト４をサポートするように、バスト４上で調整されるように設計される。ここで、揺れが制限されることは理解されよう。
【００４９】
実際、下部サポートバンド１１は、バスト４に対して横方向に、及び、バスト４のちょうど下方に延在し、側部サポートバンド１３は、バスト４のちょうど上方へ部分的に横方向に延在し、バスト４は、バストに対して調整されるこれらの下部バンド１１及び側部バンド１３により垂直方向に囲まれ、これにより、バストの垂直方向成分の揺れ、すなわち高いところから低いところへ、または低いところから高いところへの揺れの減少が可能となる。
【００５０】
さらに、中央サポートバンド１２は、バストに対して垂直方向に乳房の間に延在し、側部サポートバンド１３は、バスト４の両方の側部の上を部分的に垂直方向に延在し、バスト４は、バストに対して調整される中央サポートバンド１２及び側部サポートバンド１３により横方向に囲まれ、これにより、バスト４の横方向成分の揺れ、すなわち、左から右へ、または右から左への揺れの減少が可能となる。これによりさらに、腕の動きがバスト４の動きから分離されることが可能となる。
【００５１】
「調整される（ａｄｊｕｓｔｅｄ）」という語は、サポートフレーム構造１０、１１、１２、１３が、使用者の肌に接触するように、及び、使用者の肌の上でサポートされるように設計されることを意味する。中央サポートバンド１２は、通常、使用者の乳房の間を、使用者の肌に対して平らに位置するように設計される。逆の場合には、バストの横方向の揺れ、すなわち、右から左へ、及び左から右への揺れは、最適に分離されないであろう。
【００５２】
さらに、バストに対して平らに中央サポートバンドを調整することは、乳房を分離することに寄与する。実際、中央サポートバンド１２が緩められるといった逆の場合には、乳房は、それらの横方向の動きにおいて互いに結合するようである。すなわち、その横方向の動きにおいて乳房の一方が、他方の乳房と同調し、これが、バストの横方向の揺れを増強して、使用者の乳房間の相互の衝撃により、使用者に対し痛みの発生をもたらす。
【００５３】
さらに、中央アンカー構造１０へ向かい、且つ、そこに達する、側部サポートバンド１３の集束はまた、側部サポートバンド１３が、上向き及びバスト４の中央部へ向かう牽引の張り（ｔｒａｃｔｉｖｅ  ｓｔｒａｉｎ）Ｆを生成するという結果を有する。これにより、バスト４を圧縮することなく、そのサポートが確保されることが可能となり、これが使用者の快適さを改善する。これは、中央アンカー構造１０が使用者の胸骨の分岐に対してサポートされるという事実により、さらにいっそう有利である。実際、そのようなゾーンは、この中央アンカー構造１０が低過ぎる位置に配置される場合、これが、側部サポートバンド１３により確保される働き、特に腕に向かうバスト４の動きを制限することから成る働きを含むので、良好な妥協案のようである。
【００５４】
図２に特に示すように、ストラップ８は、ブラジャー１の後部２ｂの高さで、前部２の中央アンカー構造１０から背面固定バンド６へ延在する。特に、ストラップ８は、使用者の首の周囲を延出し、使用者の肩をそれらの高い位置で通り、ストラップの一体化される部分８’から背面固定バンド６までを形成するため、接合１６の高さで、使用者の背中で接合され、それゆえ「Ｙ」を形成する。
【００５５】
ちょうど、胸骨の分岐に対して位置し及びサポートされる中央アンカー構造１０のように、接合１６が背中において背面固定バンド６の上方に位置するという事実は、首のすぐ近傍に、すなわち、肩の高所の高さでストラップ対８を保持する結果となる。このように快適さが増強され、使用者の肩の低所及び領域を解放する。
【００５６】
さらに、背面固定バンド６は、背面固定バンド６の２つの端部の取付けを可能にし、且つ、ストラップ８の一体化される部分８’の下端が取り付けられる、クロージャ１５を含む。代替的に、または補完として、クロージャは、ストラップ８の一体化される部分８’の高さに位置してもよい。
【００５７】
ストラップは、好ましくは、使用者の肩甲骨の間で背中に対してサポートされるように設計され、好ましくは、ストラップ８の一体化される部分８’は使用者の脊柱に沿って延出するように設計される。
【００５８】
ちょうどストラップ８のように、背面固定バンド６は、好ましくは、使用者の快適さを改善するように弾性である。背面固定バンド６は、それが例えば伸縮不可能な下部サポートバンド１１に隣接して延出するようにブラジャー１の前面部に延在してよい。これは、特に、バストに対してサポートフレーム構造１０、１１、１２、１３を調整するのに寄与する。
【００５９】
中央アンカー構造１０に関して、これは、剛性または非剛性であってもよいが、好ましくは、使用者の快適さを示すため、一定の可撓性及び軽さを有する。
【００６０】
図３は、本発明の実施形態に従ったブラジャーを示す。
【００６１】
図１及び図２に示されたのと同じように、ブラジャーは、各乳房を囲むように設計された一対のカップ３、カップ３のそれぞれの外縁７に接続される背面固定バンド６、及び、使用者５の肩９を延出することのできる一対のストラップ８（ここでは詳細に図示せず）を有する。本発明によれば、ブラジャー１はさらに、
ストラップ８が取り付けられ、且つ、そこへ向かってこれらのストラップ８が集束する中央アンカー構造１０と、
これらのカップ３の外縁７から他方の縁部へ、カップ３の下に延在する下部サポートバンド１１と、
下部サポートバンド１１から中央アンカー構造１０へ、カップ３の間に延在する中央サポートバンド１２と、
２つの側部サポートバンド１３であって、下部サポートバンド１１から、そこへ向かってそれらが集束する中央アンカー構造１０へ、カップ３の外縁７の側部から水平方向に延在する、２つの側部サポートバンド１３と
を含み、
中央アンカー構造１０ならびに下部１１、中央１２及び側部１３サポートバンドが、スポーツをする場合に基本的に適所にバスト４をサポートするように、バスト４上で調整されるように設計された伸縮不可能なサポートフレームを形成する。
【００６２】
さらに、この特定の実施形態において、ブラジャー１は、サポートフレーム構造と一体であり、且つ、一方の側部サポートバンド１３から他方の側部サポートバンド１３へ、カップ３のそれぞれの上方へ延在する、伸縮不可能な上部サポートバンド１４を含む。
【００６３】
中央サポートバンド１２は、下部サポートバンド１１から中央アンカー構造へ延在し、上部サポートバンド１４付近を通り、上部サポートバンド１４へ接続される。
【００６４】
バスト４と中央アンカー構造１０の間に位置し、特に中央１２、側部１３及び上部１４サポートバンドにより境界を定められるゾーンはそれぞれが、これらのサポートバンド１２、１３、１４を互いに接続する一片のニットのような中間の壁（仕切り）を有してよい。この場合、この中間の壁は、バスト４のサポートに関係するため伸縮不可能であってもよく、または、当該バスト４の形状に適応するため一定の弾性を有してもよい。
【００６５】
使用者５の形状にブラジャーを最良に適応させるため、中央１２サポートバンド及び側部サポートバンドは、長さを調整されてよく、それぞれ１つが、この目的のために提供される調整デバイス１７を含む。
【００６６】
ここでの中央アンカー構造１０は、着用する位置において中央アンカー構造１０が接する肌が呼吸することを可能にするために、少なくとも部分的に開いた内側部１０１を含み、内側部１０１は、ここでは、中央アンカー構造１０の両サイドで複数の空のオリフィスにより開いている。
【００６７】
中央アンカー構造の外側部１０２は、その内側部１０１の周辺に延在し、ストラップならびに中央１２及び側部１３サポートバンドを受けるように形成されるノッチ１０３を有する。
【００６８】
この目的で、２つの別個の上部ノッチ１０３がストラップ８のそれぞれのために設計され、２つの側部ノッチ１０３が側部サポートバンド１３を受けるように設計され、下部ノッチ１０３が中央サポートバンド１２を受けるように設計される。
【００６９】
中央１２及び側部１３サポートバンドはそれぞれが、中央アンカー構造１０側に、ノッチ１０３を横断して、調整デバイス１７に戻り、それゆえループを形成するように設計された自由端を有する。
【００７０】
各調整デバイス１７は、使用者５により選択される長さを保つために、長さの調節を可能にするためにサポートバンドが開放される位置と、止め具ノッチが関連するサポートバンドのどんな滑動も妨げるロックされた位置との間に、可動の止め具ノッチを含む。
【００７１】
ここでの中央１２、側部１３及び上部１４サポートバンドは、それらが伸縮不可能であるように、特定のメッシュにより織られたポリエステル繊維を含むバンドである。
【００７２】
下部バンド１１に関して、これは、カップ３の下部の境界を定めるものであり、この下部バンド１１の伸縮不可能な性質は、この下部バンド１１に沿って適合される縫い目によりそれに与えられる。
【００７３】
すなわち、「伸縮不可能な（ｉｎｅｘｔｅｎｓｉｂｌｅ）」という語は、その本質的な特徴がその伸縮不可能な性質をそれに与える１つの材料か、または、少なくとも１つが伸縮不可能な性質を有してもよいが、その集合体は、当該集合体それ自体の構造がその伸縮不可能な性質をサポートバンドへ与えるものである、材料の組合せのいずれかを使用することが可能であることを意味する。
【００７４】
背面固定バンド６は、使用者５の快適さを改善するため、伸縮可能または弾性である。
【００７５】
図４〜図１０に示される実施形態は、本発明に基づくブラジャー１の変形形態を示す。
【００７６】
図示されるどんな変形形態も、各ブラジャー１は、各乳房を囲むように設計された一対のカップ３、カップ３のそれぞれの外縁７に接続される背面固定バンド６、及び、使用者５の肩９を延出することのできる一対のストラップ８（ここでは詳細に図示せず）を有する。本発明によれば、ブラジャー１はさらに、
ストラップ８が取り付けられ、且つ、そこへ向かってこれらのストラップ８が集束する中央アンカー構造１０と、
これらのカップ３の外縁７から他方の縁部へ、カップ３の下に延在する下部サポートバンド１１と、
下部サポートバンド１１から中央アンカー構造１０へ、カップ３の間に延在する中央サポートバンド１２と、
２つの側部サポートバンド１３であって、下部サポートバンド１１から、そこへ向かってそれらが集束する中央アンカー構造１０へ、カップ３の外縁７の側部から水平方向に延在する、２つの側部サポートバンド１３と
を含み、
中央アンカー構造１０ならびに下部１１、中央１２及び側部１３サポートバンドが、スポーツをする場合に基本的に適所にバスト４をサポートするように、バスト４上で調整されるように設計された伸縮不可能なサポートフレームを形成する。
【００７７】
図４Ａ及び図４Ｂに示される実施形態において、ブラジャーは、側部サポートバンド１３から別のサポートバンドへ前面に延在し、且つ、カップ３上及び中央サポートバンド１２上に重ねられる織物を含み、ブラジャーの見た目を改善する。使用される構成に応じて、この織物の上縁は、上部の、伸縮不可能なサポートバンド１４を形成し得る。
【００７８】
さらに、この実施形態において、下部サポートバンド１１は、背面固定バンド６に沿って延出する。
【００７９】
ブラジャーの後部２ｂの高さで、ストラップ８は、使用者の首の周囲を延出し、使用者の肩をそれらの高い位置で通過し、背面固定バンド６に達するストラップの一体化される部分８’を形成するため、接合１６の高さで使用者の背中で接合され、それゆえ「Ｙ」を形成する。
【００８０】
しかし、背面固定バンド６は、ここではクロージャ１５を含まない。背面固定バンド６、ストラップ８の一体化される部分８’、及び当該ストラップ８は、スポーツを行う場合に肌を刺激することのある追加の縫い目があるのを避けるため、少なくとも接合１６の近傍に、１つの片として、好ましくは１つのまとまり（ｍｏｎｏｂｌｏｃｋ）として形成される。この１つのまとまりの片の織物は、使用者の快適さを改善するため、好ましくは弾性である。
【００８１】
図５Ａ、図５Ｂ及び図５Ｃを参照すると、ブラジャー１の前部２ａは、ニット片を有し、当該ニット片は、前面に延在し、ニット片が覆う側部１３及び下部１１サポートバンドにより、ならびに、中央アンカー構造により境界を定められる。
【００８２】
ブラジャー１の後部２ｂの高さで、一体化される部分８’と、使用者５の首を囲む２つのストラップ８との接合１６は、三角形の形の中間のデバイスにより確保され、一方は、三角形の底辺の高さで一体化される部分８’と統合され、他方はこの三角形の２つの上側の高さで２つのストラップのそれぞれと統合される。
【００８３】
図６Ａ及び図６Ｂを参照すると、それらはその前部２ａの高さに、一方の側部サポートバンド１３から他方の側部サポートバンド１３へ延在し、円形の弧を形成する上部サポートバンド１４を含むブラジャー１を示し、円形の弧の中心は、おおよそ、中央アンカー構造１０の高さに位置する。
【００８４】
さらに、ブラジャー１は、下部サポートバンド１１から中央アンカー構造１０へ向かって、上部サポートバンド１４まで延在する、中央サポートバンド１２を含む。
【００８５】
有利には、ここでの場合と同様に、中央アンカー構造１０は、ロックされた位置（図６Ａ参照）と外された位置（図６Ｂ参照）の間を移動されてもよい移動可能な固定手段を形成する。
【００８６】
特に、中央アンカー構造１０は、２つの部分１１１、１１２に分割されてよく、これらの移動可能な部分１１１、１１２のそれぞれは、バスト４に対して同じ側に位置するストラップ８の１つ及び側部サポートバンド１３の１つに接続される。
【００８７】
あるいは、中央アンカー構造１０は２つの部分に分割されてよく、当該部分の一方は２つのストラップ８へ接続され、他方の部分は、少なくとも、２つの側部サポートバンド１３に、さらに中央サポートバンド１２に接続される（図示せず）。
【００８８】
これにより、使用者が、ブラジャーを使用者に位置させるため、またはそれを取外すため、ブラジャーの取り扱いを容易にすることが可能である。
【００８９】
この固定手段は、例えば、留め金具（複数可）、フック、または、移動可能な部分１１１、１１２を、これらのロックされた位置と外された位置の間で移動可能なように組立てることを可能にする任意の他の手段によって形成されてよい。これらの移動可能な部分１１１、１１２は、それぞれ、例えば、互いに協働するように設計された雄部または雌部を形成してよい。
【００９０】
図７は、特に、バスト４に対して同じ側に位置するストラップ８の１つ及び側部サポートバンド１３の１つが、ブラジャーの見た目及び使用者の快適さを改善するために弾性の織物により接続される、別の実施形態を示す。
【００９１】
図８は、ブラジャー１が身体の上部用の、ブラジャーを隠している衣類品に統合される実施形態を示す。
【００９２】
図９Ａ及び図９Ｂは、身体の上部用の衣類品に部分的に統合されたブラジャー１を示し、その中央アンカー構造１０は、ストラップ８ならびに側部サポートバンド１３及び中央サポートバンド１２が取り付けられるおおよそ環状の形状を有する。この環状の形状は、少なくともその外側部分をシリコーンにより形成され、これにより、快適さ、調整及び柔軟性が改善される。
【００９３】
一定の構成において、アンカー構造は、少なくとも１つのセンサ、メモリ及び／または計算機と一体化されてもよい。
【００９４】
それどころか、図１０に示されるように、中央アンカー構造１０は、ストラップ８、側部サポートバンド１３を備える、また、随意に、ここで図示されるように中央サポートバンド１２を備える１つのまとまりまたは１つの片において形成されてもよい。
【００９５】
このように中央アンカー構造１０は、厚過ぎるものでなく、ブラジャーを軽くする。
【００９６】
どんな実施形態でも、使用者の快適さを改善し、また、使用者の正確な形状に応じてサポートフレーム構造の調整を改善するように、伸縮不可能なサポートフレーム構造は好ましくは可撓性である。
【００９７】
これらの下部１１、中央１２及び側部１３サポートバンドは、異なる性質を有してよい。
【００９８】
例えば、これらのバンドの全てまたは一部は、エラステーンを含まないニット材料（ポリアミド、ポリエステル．．．）などの少なくとも１つの一意の繊維材料から構成されてもよい。この場合は、好ましくは、使用されるこれらの材料の１つは、１００％ポリアミド、１００％ポリエステル等、のいずれかである。
【００９９】
別の構成において、これらのバンドの全てまたは一部は、この繊維材料を「ブロックする」ため、すなわち、繊維材料の伸長を抑制するため、少なくとも１つの繊維材料に対する樹脂（複数可）の塗布により形成される。この場合、繊維材料は、非限定的な方法において、ニットまたはジャージータイプに属してよい。
【０１００】
別の補足的または代替的な構成において、バンドのそれぞれは、全体的または部分的に、熱的に付着する材料（複数可）の少なくとも１つの合成物により形成されてよい。
【０１０１】
本発明が実施例として上記で説明された。当業者は、本発明の範囲から離れることなく、当業者が本発明の異なる実施形態を実現可能なことが理解される。
【符号の説明】
【０１０２】
Ｆ      牽引の張り
１      ブラジャー
２ａ    前部
２ｂ    後部
３      カップ
４      バスト
５      使用者
６      背面固定バンド
７      外縁
８      ストラップ
８’    ストラップの一体化される部分
９      肩
１０    中央アンカー構造
１１    下部サポートバンド
１２    中央サポートバンド
１３    側部サポートバンド
１４    上部サポートバンド
１５    クロージャ
１６    接合
１７    調整デバイス
１０１  内側部
１０２  外側部
１０３  ノッチ
１１１  部分
１１２  部分
【図１】
2017531106.tif 000003
【図２】
2017531106.tif 000004
【図３】
2017531106.tif 000005
【図４Ａ】
2017531106.tif 000006
【図４Ｂ】
2017531106.tif 000007
【図５Ａ】
2017531106.tif 000008
【図５Ｂ−５Ｃ】
2017531106.tif 000009
【図６Ａ−６Ｂ】
2017531106.tif 000010
【図７】
2017531106.tif 000011
【図８】
2017531106.tif 000012
【図９Ａ−９Ｂ】
2017531106.tif 000013
【図１０】
2017531106.tif 000014
【国際調査報告】
2017531106.tif 000015
2017531106.tif 000016
2017531106.tif 000017